(57)【要約】【課題】携帯装置における作業を動的に監視し、さらに遠隔地から携帯装置上の作業を制御することをも可能にする手法を提供する。【解決手段】携帯装置Ａ（１２）と、無線ネットワーク１０を含むネットワークと、の間で通話の監視を行う監視方法において、携帯装置Ａ（１２）にダイヤルアドレスを入力する入力工程と、前記ダイヤルアドレスと携帯装置Ａ（１２）に記憶されたダイヤルアドレスリストとを比較する比較工程と、を含み、前記ダイヤルアドレスが前記記憶されたダイヤルアドレスリストにある場合は、通話を行い、前記ダイヤルアドレスが前記記憶されたダイヤルアドレスリストにない場合は、通話をブロックする、監視方法。【選択図】図１
2006254441.tif 000002
【特許請求の範囲】
【請求項１】
携帯装置と無線ネットワークとの間で通話を行う方法において、
（ａ）前記携帯装置にダイヤルアドレスを入力し、
（ｂ）前記ダイヤルアドレスと前記携帯装置に記憶されたダイヤルアドレスリストとを比較し、
（ｃ）前記ダイヤルアドレスが前記記憶されたダイヤルアドレスリストにある場合は、通話を行い、
（ｄ）前記ダイヤルアドレスが前記記憶されたダイヤルアドレスリストにない場合は、通話をブロックする、方法。
【請求項２】
請求項１に記載の方法において、前記ダイヤルアドレスリストを、前記無線ネットワークに接続された監視装置を使用して修正する、方法。
【請求項３】
請求項１に記載の方法において、前記通話を、前記無線ネットワークに接続された監視装置によって監視する、方法。
【請求項４】
請求項３に記載の方法において、前記監視装置が進行中の前記通話に介入する、方法。
【請求項５】
請求項４に記載の方法において、前記介入が進行中の通話を受聴する、方法。
【請求項６】
請求項４に記載の方法において、前記介入が進行中の通話を終了させる、方法。
【請求項７】
請求項１に記載の方法において、前記ダイヤルアドレスが電話番号である、方法。
【請求項８】
請求項１に記載の方法において、前記ダイヤルアドレスがインターネットアクセス番号である、方法。
【請求項９】
請求項１に記載の方法において、前記ダイヤルアドレスがインターネットＵＲＬである、方法。
【請求項１０】
携帯装置と無線ネットワークとの間で通話を行う方法において、
（ａ）前記携帯装置と前記無線ネットワークとの間で通話を行い、
（ｂ）前記通話の継続時間を計測して合計通話時間を生成し、
前記合計通話時間が所定の値に達した場合は、
（ｃ）前記携帯装置にダイヤル番号を入力し、
（ｄ）前記ダイヤル番号と前記携帯装置に記憶されたダイヤル番号リストとを比較し、
（ｅ）前記記憶されたダイヤル番号リストにおけるダイヤル番号に一致する通話を行う、方法。
【請求項１１】
請求項１０に記載の方法において、前記ダイヤル番号リストを、前記無線ネットワークに接続された監視装置を使用して修正する、方法。
【請求項１２】
請求項１０に記載の方法において、携帯装置から申し込まれた通話と通話アドレスリストとを比較して免除が適用されるかどうか判断し、免除が適用されない通話については選択的にステップｂを適用する、方法。
【請求項１３】
携帯装置と無線ネットワークとの間で通話を行い、前記通話は前記無線ネットワークに接続された遠隔監視装置によって監視される方法であって、
（ａ）前記携帯装置にダイヤルアドレスを入力し、
（ｂ）前記ダイヤルアドレスと前記携帯装置に記憶されたインターネットアドレスリストとを比較し、
前記ダイヤルアドレスが記憶されたインターネットアドレスと一致する場合は、
（ｃ）前記監視装置へ通知を行う、方法。
【請求項１４】
請求項１３に記載の方法において、さらに、前記携帯装置へ伝送されたインターネットイメージを複製したインターネットイメージを、前記遠隔監視装置へ伝送することを含む、方法。
【請求項１５】
請求項１３に記載の方法において、さらに、
（ｄ）前記携帯装置にＵＲＬを入力し、
（ｅ）前記ＵＲＬと前記携帯装置に記憶されたＵＲＬリストとを比較し、
（ｆ）前記ＵＲＬが前記記憶されたＵＲＬリストにある場合は、前記ＵＲＬをインターネットへ伝送し、
（ｇ）前記ＵＲＬが前記記憶されたＵＲＬリストにない場合は、前記ＵＲＬの前記インターネットへの伝送をブロックすることを含む、方法。
【請求項１６】
請求項１５に記載の方法において、前記ＵＲＬリストを、前記無線ネットワークに接続された監視装置を使用して修正する、方法。
【請求項１７】
請求項１３に記載の方法において、前記監視装置は、前記携帯装置と前記無線ネットワークとの間のインターネットアクセスを終了させる、方法。
【発明の詳細な説明】
【技術分野】
【０００１】
本発明は、携帯装置使用者による通話やインターネットの利用を監視することに関し、特に、子供による携帯装置の使用を遠隔監視および制御する方法並びにシステムに関する。
【背景技術】
【０００２】
両親や保護者が子供の通信活動を監視することは、有効かつ重要なことであると、広く認識されている。そして、親が子供の電話やインターネットの利用を監視するためのツールが数多く開発されている。従来、これらのツールは主に自宅や親の管理下における作業を監視するためのもので、そのような目的にのみ有効なものであった。よって、これらのツールの多くは、携帯電話上の作業の監視には効果がなかった。いわゆるＶチップやそれに類する製品を携帯電話用に設計し、導入することも可能ではあるが、この手法では、前もってプログラムされた一連の制御が必要となる。したがって、携帯装置上の作業を動的に監視し、さらに遠隔地から携帯装置上の作業を制御することも可能にする手法が望まれている。
【発明の開示】
【課題を解決するための手段】
【０００３】
そこで、本願発明者は、親や他の責任者が子供の携帯装置作業を監視できるシステムおよびシステム工程を設計した。さらに、オプションとして、親が子供の携帯装置作業を動的に制御できるようにした。これは、携帯装置と親の管理下にある端末または携帯電話とをつなぐソフトウェアもしくはネットワーク付属物（adjunct）に依る。携帯装置へもしくは携帯装置からの通話トラフィックは、親監視下のロケーションにおける受信機へ中継される。好適な実施例では、ソフトウェアは親が子供の通話に介入できるように設計される。介入は、通話を中断させたり、通話を終了させたり、インターネットアクセスを中断または終了させたりなど、さまざまな方法で行うことができる。携帯装置が前もってプログラムされた制限ソフトウェアを備えている場合は、介入により制限ソフトウェアを修正して、新しい制限を加えてもよい。
【０００４】
監視される携帯装置としては、携帯電話、Ｗｉ−Ｆｉ装置、その他の携帯通信装置を用いることができる。以下の説明において、監視を行う者は、両親、保護者、その他権限を有する者であって、「監視者」と称する。監視者が使用する装置は「監視装置」と称する。監視装置は好ましくはコンピュータであるが、固定電話、無線電話、ＰＤＡ、またはその他の適切な装置であってもよい。監視装置は、一般的に、職場や自宅など監視者の敷地内に備えられるが、携帯装置であってもよい。以下の説明では、監視者に監視される携帯通信装置を「携帯装置」と称する。
【０００５】
また、本発明に係る方法は、携帯装置Ａ（１２）と、無線ネットワーク１０を含むネットワークと、の間で通話の監視を行う監視方法において、携帯装置Ａ（１２）にダイヤルアドレスを入力する入力工程と、前記ダイヤルアドレスと携帯装置Ａ（１２）に記憶されたダイヤルアドレスリストとを比較する比較工程と、を含み、前記ダイヤルアドレスが前記記憶されたダイヤルアドレスリストにある場合は、通話を行い、前記ダイヤルアドレスが前記記憶されたダイヤルアドレスリストにない場合は、通話をブロックすることを特徴とする。
【発明を実施するための最良の形態】
【０００６】
図１に、遠隔携帯装置である携帯装置Ａ（１２）と端末Ｂ（１４）との間に設けられた、無線ネットワーク１０を含む、基本的なネットワーク要素（２０，３０，４０）を概略的に示す。携帯装置Ａ（１２）は、例えばセルラ、Ｗｉ−Ｆｉ、ＧＳＭ、Ｗｉ−Ｍａｘなどの適切な方式によって、無線ネットワークとの間で通信を行う。無線ネットワーク１０は、公衆交換電話網（ＰＳＴＮ２０）を通じて、端末Ｂとの間で電話をかけたり受けたりするために利用される。端末Ｂ（１４）は、無線または有線の通信装置である。遠隔監視装置Ｃ（１６）は、図中Ｃに配置され、いくつかのオプションのうちのいずれかを利用して、携帯装置Ａ（１２）と相互接続することができる。端末Ｂ（１４）と携帯装置Ａ（１２）との通話作業を監視する図示しないモニタを使用する場合において、モニタは無線ネットワーク１０を通じて遠隔監視装置Ｃ（１６）に接続される。一方、インターネットの利用を監視するためにモニタを使用する場合は、モニタは携帯装置Ａ（１２）の監視のために、インターネットにアクセスするＩＳＰアクセス４０のノードに接続される。図１は後者の場合を示し、インターネット３０およびＩＳＰアクセス４０の構成要素が図示されている。
【０００７】
図２は、携帯装置Ａ（１２）で実行される制御ロジックの全体フローチャートを示す。これは、トラフィックフロー管理システムであって、以下に記載する機能の基盤をなすものである。電源を入れた後、装置はメッセージ要求を待つ（Ｓ１）。要求を受け取ると、一連の条件文を用いて、メッセージの種類を判別する（Ｓ２）。
【０００８】
要求が電話発信要求である場合は、本ロジックでは、装置使用者が指定受信者へ発信することを許可されているかどうか調べる（Ｓ３）。これは、ローカルメモリ上のテーブルにおける「許可通信先リスト」および／または「拒否通信先リスト」を照合することにより行う。受信者が許可されている場合は、発信を可能とし（Ｓ４）、さらにその通話およびそれに関連する情報（開始時刻、電話相手の番号など）について知らせるメッセージを監視者へ送る（Ｓ６）。一方、受信者が許可されていない場合は、通話をブロックし（Ｓ５）、使用者はブロックされた旨のメッセージを携帯装置Ａ（１２）の画面上で受け取り、さらにブロックされた通話（およびその関連情報）について知らせるメッセージを監視者へ送る（Ｓ７）。
【０００９】
要求が電話着信要求である場合は、装置使用者が電話発信者からの電話を受信することを許可されているかどうかを調べる（Ｓ８）。これは、ローカルメモリ上のテーブルにおける「許可通信先リスト」および／または「拒否通信先リスト」を照合することにより行う（Ｓ９）。発信者が許可されている場合は、受信を可能とし（Ｓ１０）、さらにその通話およびそれに関連する情報（開始時刻、電話相手の番号など）について知らせるメッセージを監視者へ送る（Ｓ１２）。一方、発信者が許可されていない場合は、通話をブロックし（Ｓ１１）、使用者はブロックされた旨のメッセージを携帯装置Ａ（１２）の画面上で受け取り、さらにブロックされた通話（およびその関連情報）について知らせるメッセージを監視者へ送る（Ｓ１３）。
【００１０】
要求がメッセージ送信要求である場合は、装置使用者が所望の送信先へメッセージを送信することが許可されているかどうかを調べる（Ｓ１４）。これは、ローカルメモリ上のテーブルにおける「許可ＵＲＬ／ユーザネームリスト」および／または「拒否ＵＲＬ／ユーザネームリスト」を照合することにより行う（Ｓ１５）。所望の送信先が許可されている場合は、メッセージ送信を可能とし（Ｓ１６）、さらにそのメッセージおよびそれに関連する情報（開始時刻、所望の送信先、内容など）について知らせるメッセージを監視者へ送る（Ｓ１８）。一方、送信先が許可されていない場合は、メッセージをブロックし（Ｓ１７）、使用者はブロックされた旨のメッセージを携帯装置Ａ（１２）の画面上で受け取り、さらにブロックされたメッセージ（およびその関連情報）について知らせるメッセージを監視者へ送る（Ｓ１９）。
【００１１】
要求が非監視者メッセージ受信要求である場合は、装置使用者が送信者からのメッセージを受信することが許可されているかどうかを調べる（Ｓ２０）。これは、ローカルメモリ上のテーブルにおける「許可ＵＲＬ／ユーザネームリスト」および／または「拒否ＵＲＬ／ユーザネームリスト」を照合することにより行う（Ｓ２１）。送信者が許可されている場合は、メッセージ受信を可能とし（Ｓ２２）、さらにそのメッセージおよびそれに関連する情報（開始時刻、送信者、内容など）について知らせるメッセージを監視者へ送る（Ｓ２４）。一方、送信者が許可されていない場合は、メッセージをブロックし（Ｓ２３）、使用者はブロックされた旨のメッセージを携帯装置Ａ（１２）の画面上で受け取り、さらにブロックされたメッセージ（およびその関連情報）について知らせるメッセージを監視者へ送る（Ｓ２５）。
【００１２】
要求が監視者からのメッセージである場合は（Ｓ２６）、認証を行い（Ｓ２７）、そのメッセージの正当性を確認した後、要求された機能を実行する（Ｓ２８）。これには、ポリシーの更新、フィルタの更新、通話の中断などが含まれる。
【００１３】
上記のトラフィックフロー制御システムは、電話およびインターネットの両方について、通話設定やメッセージ転送を制御するものであり、以下に詳細に説明するサービス機能を実行するために有用である。
【００１４】
図３に、通話時間を監視および制御するためのフロー図を示す。これは、一般的には通話料金管理ツールであり、携帯電話の使いすぎを防ぐために有用である。この付加サービスは単体で使用することもできるし、以下に記載するほかのサービス機能と組み合わせて使用することもできる。図３に示す実施例においては、監視者は通話の進行状況を受け取る（Ｓ４１）。監視者は、単に通話終了時に通知を受けるよう要求することができ、その場合は終了時に通話終了通知および通話時間が監視者に提供される。さらに、監視者は、通話が行われている間、５分おき、３０分おきなど、定期的にステータスメッセージが送られるよう要求することもできる（Ｓ４７，Ｓ４８，Ｓ５０）。この場合、監視者が通話時間が長すぎると決定したときは、遠隔的に通話を終了させる機会が与えられる。さらに、前述のフィルタ機能を拡張して、特定の通話形式および／または特定の電話番号との間の通話に対して制限を設けることができる。簡単な例としては、すべての通話に対して、日ごともしくは月ごとに特定の時間を分単位で割り当てておき、割り当てられた時間を使い果たした後は、通話中の電話はすべて終了し、それ以降は次の日もしくは月まで通話をできなくすることができる。さらに、この通話料金管理ツールの機能として、緊急の呼出しのための電話番号リストを設定することができる。この機能は、図３の左側に示されている（Ｓ４２，Ｓ４３，Ｓ４４，Ｓ４５）。緊急電話番号は、救急や行政当局（消防、警察など）、また監視者が無制限アクセス先に指定した、自宅、学校、親類などの電話番号（緊急電話番号に限らない）などである。これにより、携帯装置使用者は、電話の使い過ぎによって無線サービスが原則的に終了していたとしても、重要な通信を行うことができる。
【００１５】
図３は、付加的なオプション機能を示す（Ｓ５０〜Ｓ５５）。通話料金管理機能は、前もって指定された特定の番号に対しては免除されている。これにより、免除された電話番号に対しては、料金管理機能を呼び出すことなく、または呼び出す一因となることなく、無制限に電話をかけたり、通話を継続したりすることができる。
【００１６】
上記の無線通話料金管理システムに加えて、本発明の他の主な実施例として、内容の監視がある。内容監視は、図４に示す通話受理ロジックフローを用いて実行することができる（Ｓ６１〜Ｓ６７）。このシステムは、黙示的に、進行中の通話を制御するだけでなく、通話設定をも制御する。通話設定の制御には、携帯装置内にプログラムされた、事前承認済電話番号リストを用いる。このシステム機能の好適な変形例としては、事前承認済電話番号リストは、監視者によって制御（遠隔制御）される。監視者は、事前承認済電話番号リストにアクセスし、所望どおり修正することができる。図４に示すシステムは、このオプションのみで使用することもできるし、さらに所定の不承認または禁止電話番号リストを備えることもできる。この場合は、図４に示すロジックおよび電話ブロック機能が実行される（Ｓ６２，Ｓ６６，Ｓ６７）。どちらのリストにも載っていない電話番号については、システムは、リアルタイム監視機能に依拠することができる。携帯装置使用者がどちらのリストにも載っていない番号へ電話をかけようとすると、監視者は自動的に通知を受ける。通知を受けると、監視者は、通話の中断または終了を選ぶことができる。図４は、いくつかのオプションを示している。つまり、事前承認済番号リストを用いた通話設定の制御、禁止番号リストを用いた通話設定の制御、事前承認済番号リストおよび禁止番号リストの両方を用いた通話設定の制御、介入なしの進行中の通話の監視、介入ありの進行中の通話の監視である。進行中の通話の監視は、無線ネットワーク内の標準的な会議ブリッジを用いて、容易に実行することができる。
【００１７】
上記のオプション機能は、本発明の趣旨を逸脱しない限りにおいて、単体または組み合わせて用いることができる。
【００１８】
図４は、携帯装置（インターネット接続可能な携帯電話、ＰＤＡなど）あるいは従来の
コンピュータプラットフォーム（ＰＣ、ラップトップなど）から、携帯装置使用者が行うインターネット利用に対する内容監視を行う方法についても示している。要求されたＵＲＬへ最初にアクセスするときは、事前承認リストおよび禁止リストを使用することができる（Ｓ６１）。ＵＲＬがどちらのリストにも載っていない場合は（Ｓ６２）、監視者はリストにないＵＲＬの通知を受け、任意に、携帯装置において受信したインターネット信号を複製するマルチキャスト方式を開始することができる。もしくは、監視者はＵＲＬの通知のみを受け、そのＵＲＬの内容を調べて、介入が必要かどうか決定することができる。介入によってそのＵＲＬの利用を一度だけブロック（Ｓ６６）することもできるし、監視者が禁止（または許可）ＵＲＬもしくはドメインリストにアクセスし、適宜修正することもできる。
【００１９】
これらのオプションを実行する際に監視者が行い得る監視や制御のレベルはさまざまである。たとえば、ａ）トータルアクセス（上記に説明）、ｂ）部分的監視（監視者はある程度の制御はできるが、メッセージを読むことはできない）、ｃ）監視のみ（監視はできるが、直接制御はできない）などである。
【００２０】
これらの実施例において、監視者は、通知に優先レベルを設定することができる。例えば、フィルタ基準を満たす通話については低い優先度とし、満たさない通話については高い優先度とすることができる。同様に、以前に利用したＵＲＬへ再度アクセスするときには低い優先度とし、以前に利用したことのないＵＲＬへのアクセスに対しては高い優先度とすることができる。このように優先順位をつけることによって、監視者は優先度の低いイベントを無視し、優先度が高いとみなされたイベントに対しては注意を払うようにすることができる。
【００２１】
図３および図４を参照して説明したシステムは、単体または組み合わせて使用することができる。両システムの好適な実施例には、共通の特長がある。すなわち、監視者は、携帯装置にリアルタイムでアクセス可能なことである。さらに、両システム共通の特長として、携帯装置内に、電話番号リスト、ＵＲＬリスト、もしくは電話番号及びＵＲＬのリストを備える。便宜上、電話番号とインターネット上のＵＲＬの両方を以下では「ダイヤルアドレス」と呼び、上記のリストは、「ダイヤルアドレスリスト」と呼ぶ。
【００２２】
リアルタイムアクセスは、いくつかの方法のうち、一またはそれ以上の方法で行うことができる。監視者がアドレスリストを一義的に制御し、遠隔的にリストの制御および修正をすることができるようにするか、もしくは監視者がアドレスリストへのアクセス権を有するようにする。監視者は、携帯装置上の作業、すなわち複製した内容に対し、無制限にリアルタイムでアクセスできる。監視者は、作業イベント（電話番号、ＵＲＬ）に関する通知を受ける。どの場合にも、監視者は、携帯装置とリアルタイム通信リンクを通じてつながっている。このリンクにより、携帯装置使用者が行う通信作業を、非介入または介入のいずれにおいても、効果的に監視することができる。
【００２３】
上述のように、監視者は、ここに説明する機能の一またはそれ以上を組み合わせて行うことができる。例えば、インターネット利用のみを監視する（通常の通話は監視しない）ことができる。これは、携帯装置内に一またはそれ以上のインターネットアクセス番号を記憶し、このインターネットアクセス番号がダイヤルされたときに、監視者への通知をアクティブにすることで実行できる。インターネットアクセスに関する通知を受けると、監視者は上記記載の一またはそれ以上の介入方法によって介入を行う。行い得る介入方法の一つとしては、まず、携帯装置に送られたインターネットイメージを複製したイメージを、監視者の装置に送る。ダイヤルされた番号が許可されたインターネットアクセス番号の場合は、次に携帯装置に入力されたダイヤルアドレス（ＵＲＬ）と、入力されたＵＲＬを許可またはブロックするために記憶された許可／禁止ＵＲＬリストとを比較する。本実施例ではインターネット監視のみを行うため、図４において参照するリストはＵＲＬのみを含むこととする。
【００２４】
上記のサービスを無線ネットワーク環境において実行する方法の一例を図５および図６に示す。図５は、ネットワークアーキテクチャを示す。携帯装置Ａ（１２）は、無線ネットワーク１０の範囲内にある。ルータ（「ゲートウェイ２２」と表示）は、携帯装置Ａ（１２）との間で伝送されるデータグラムを解析するために用いられる。無線サービスプロバイダは、ＩＰネットワーク２５を維持管理し、サーバ３２及びインターネット３０経由で全世界に接続する。監視者の装置も、ＩＳＰアクセス４０（ブロードバンド、ダイヤルアップ、無線など）を通じてインターネット３０に接続されている。
【００２５】
図６は、ゲートウェイルータのフローロチャートを示す。基本的に、ゲートウェイ２２は外部から入ってくるパケットを待つ（Ｓ８１）。パケットが届くと、ゲートウェイ２２は、送り先とソースＩＰアドレスを調べて、そのパケットが監視されている携帯装置からもしくは携帯装置へ送られたものかどうかを確かめる（Ｓ８２）。そうである場合は、ゲートウェイ２２はキャッシュテーブルまたはデータベースを調べて、関連付けられた監視装置のＩＰアドレスを割り出す（Ｓ８４）。その後、パケットは２箇所に送られる（Ｓ８５）。まず、パケットは通常どおりに送り先の装置に送られる。さらに、パケットは特別なメッセージに埋め込まれて、モニタ１８に転送される（Ｓ８６）。この特別なメッセージによって、モニタ１８は、ＵＲＬおよび携帯装置との間でやりとりされたメッセージを受け取る。
【００２６】
モニタ１８は、携帯装置に関する情報を様々な方法で表示することができる。例えば、監視者が検討できるように、ＵＲＬをモニタ上にリストアップすることができる。また、フィルタを使用すれば、監視者はデータをより容易に取り扱うことができる。他の例としては、モニタ１８上にＵＲＬの内容を表示して、携帯装置使用者が受け取っているものと同じ内容をサービス利用者が監視できるようにすることができる。監視者は、その内容をブロックすべきと判断した場合、そのＵＲＬを関連付けられた携帯装置に対してブロックするよう、要求をゲートウェイ２２に入力することができる。
【００２７】
ここで、電話をかけるまたは電話番号をダイヤルするということは、従来のダイヤル番号列を入力すること、あるいは前もってプログラムされた自動ダイヤル装置にダイヤル番号コードを入力することを含む。これらは、「ダイヤル番号を入力する」という面において同等とみなされる。
【００２８】
また、ダイヤル番号リストまたは通話番号リストを修正するということは、リストの内容を加えたり、取り除いたり、更新したり、もしくは他の方法により変えることで、ダイヤル番号リストを変更することを意味する。
【００２９】
さらに、携帯装置に対する監視装置の位置を説明する際の「遠隔」とは、二つの装置が同一敷地内に位置しないことを意味する。上記の監視機能を実行するために、無線ネットワークを用いて監視装置を操作することは、通常、二つの装置が物理的に同じ場所に配置されていないということを意味している。
【００３０】
本発明は、種々に変更を加え得ることは、当業者にとって自明である。本明細書の特定の内容から逸脱しているものであっても、基本的に、その本質およびその同等物に依拠している限りは、上記に記述されまた請求の範囲に記載されている本発明の要旨を逸脱しない範囲であると当然にみなされる。
【図面の簡単な説明】
【００３１】
【図１】本発明の監視機能を実行するためのネットワークアーキテクチャを示す概略図である。
【図２】監視下におかれている遠隔携帯装置におけるフローロジックを示す図である。
【図３】監視下におかれている遠隔携帯装置におけるフローロジックを示す図である。
【図４】監視下におかれている遠隔携帯装置におけるフローロジックを示す図である。
【図５】本発明の監視システムの機能を実行するためのネットワークアーキテクチャを示す概略図である。
【図６】本発明のシステムのネットワーク実装を説明するゲートウェイフローロジックを示すフロー図である。
【符号の説明】
【００３２】
１０  無線ネットワーク、１２  携帯装置Ａ、１４  端末Ｂ、１６  遠隔監視装置Ｃ、１８  モニタ、２２  ゲートウェイ、２５  ネットワーク、３０  インターネット、３２  サーバ、４０  ＩＳＰアクセス。
【図２】
2006254441.tif 000003
【図３】
2006254441.tif 000004
【図４】
2006254441.tif 000005
【図６】
2006254441.tif 000006
【図１】
2006254441.tif 000007
【図５】
2006254441.tif 000008